(57)【要約】【課題】一の圧入溝に入る一対の圧入突起がいずれにおいても確実にがたつきを抑制することが可能なコネクタを提供する。【解決手段】一対の端子金具Ｔに弾性接触片１１が弾性的に接触することで一対の前記端子金具Ｔを短絡させるショート端子１０と、前記端子金具Ｔおよび前記ショート端子１０が収容されるハウジング３０と、を備え、前記ショート端子１０には、前記ハウジング３０に設けられた一の圧入溝３６に圧入される圧入突起２０が、前記圧入溝３６への圧入方向における前側と後側とに離れて一対設けられ、前記圧入方向の前側に位置する圧入突起２０Ｆと後側に位置する圧入突起２０Ｓとが前記圧入方向に対して横にずれて配置されている。【選択図】図１０
2016157605.tif 000002
【特許請求の範囲】
【請求項１】
一対の端子金具に弾性接触片が弾性的に接触することで一対の前記端子金具を短絡させるショート端子と、
前記端子金具および前記ショート端子が収容されるハウジングと、を備え、
前記ショート端子には、前記ハウジングに設けられた一の圧入溝に圧入される圧入突起が、前記圧入溝への圧入方向における前側と後側とに離れて一対設けられ、
前記圧入方向の前側に位置する圧入突起と後側に位置する圧入突起とが前記圧入方向に対して横にずれて配置されていることを特徴とするコネクタ。
【請求項２】
前記ショート端子が、前記ハウジングに対して前方から収容されるものとされ、
一対の前記圧入突起が、前記ショート端子の前側と後側とに離れて配されるとともに、前記ショート端子の左右方向の両側に備えられていることを特徴とする請求項１に記載のコネクタ。
【請求項３】
前記圧入突起が、裾野部から頂上部へ前記圧入方向に対して横方向の幅が徐々に狭くなる形状をなし、前記圧入方向の前側に位置するものと後側に位置するものとで、前記裾野部が前記圧入方向に重なり、前記頂上部が前記圧入方向に対して横にずれる位置に配されていることを特徴とする請求項１または請求項２に記載のコネクタ。
【発明の詳細な説明】
【技術分野】
【０００１】
本発明は、ショート端子を備えたコネクタに関する。
【背景技術】
【０００２】
従来、一対の端子金具に接触することでその端子金具間を短絡させるショート端子を備えたコネクタが知られている。このショート端子は、端子金具に弾性的に接触可能な弾性接触片を備えている。そして、相手側コネクタが嵌合されていない状態では、対応する端子金具に弾性接触片が接触して端子金具間を短絡状態にし、相手側コネクタが嵌合されると、相手側コネクタに備えられた短絡解除部によって弾性接触片が端子金具から離され、端子金具の短絡状態が解除される。
【０００３】
例えば下記特許文献１に記載のコネクタにおいては、ショート端子が、ハウジングに設けられたショート端子収容室に前方から収容される。そして、ショート端子のうち横長な板状をなす本体部が、ショート端子収容室の上端両側縁に形成された溝に圧入保持されるようになっている。
【先行技術文献】
【特許文献】
【０００４】
【特許文献１】特開２００４−１３４２５９号公報
【発明の概要】
【発明が解決しようとする課題】
【０００５】
ところで、上記のようなコネクタにおいて、ショート端子が弾性接触片の変位方向にがたつくことを防ぐべく、ショート端子の本体部のうちショート端子収容室の溝に圧入される部分に突起を設けることが考えられる。その際、突起を前後に一対設けようとすると、ハウジングの溝に先に入る突起によって溝が押し広げられ、後に入る突起においては溝との間に隙間が生じる等して十分にがたつきを抑制できない虞があった。
【０００６】
本発明は上記のような事情に基づいて完成されたものであって、一の圧入溝に入る一対の圧入突起がいずれにおいても確実にがたつきを抑制することが可能なコネクタを提供することを目的とする。
【課題を解決するための手段】
【０００７】
本発明のコネクタは、一対の端子金具に弾性接触片が弾性的に接触することで一対の前記端子金具を短絡させるショート端子と、前記端子金具および前記ショート端子が収容されるハウジングと、を備え、前記ショート端子には、前記ハウジングに設けられた一の圧入溝に圧入される圧入突起が、前記圧入溝への圧入方向における前側と後側とに離れて一対設けられ、前記圧入方向の前側に位置する圧入突起と後側に位置する圧入突起とが前記圧入方向に対して横にずれて配置されているものである。
【発明の効果】
【０００８】
本発明によれば、圧入溝に先に入る圧入突起によって押し広げられていない部分に、後から入る圧入突起が圧入されるから、一の圧入溝に入る一対の圧入突起がいずれにおいても確実にがたつきを抑制することができる。
【図面の簡単な説明】
【０００９】
【図１】本実施例におけるコネクタであって、相手側コネクタと嵌合する前の状態を示す断面図
【図２】相手側コネクタと嵌合した状態のコネクタを示す断面図
【図３】ショート端子を示す正面図
【図４】ショート端子を示す平面図
【図５】ショート端子を示す側面図
【図６】ショート端子を示す断面図であって、図３のＡ−Ａ位置における断面に相当する断面図
【図７】コネクタを示す正面図
【図８】コネクタを示す断面図
【図９】フロントホルダを取り外した状態のハウジングを示す正面図
【図１０】ショート端子を収容した状態のハウジングを示す正面図
【図１１】圧入溝に圧入突起が圧入された状態のコネクタを示す断面図
【図１２】圧入溝に圧入突起が圧入された状態を示す図１１の一部拡大断面図
【発明を実施するための形態】
【００１０】
本発明の好ましい形態を以下に示す。
本発明のコネクタは、前記ショート端子が、前記ハウジングに対して前方から収容されるものとされ、一対の前記圧入突起が、前記ショート端子の前側と後側とに離れて配されるとともに、前記ショート端子の左右方向の両側に備えられているものとしてもよい。このような構成によれば、ショート端子の前後左右でがたつきを抑制することができる。
【００１１】
また、本発明のコネクタは、前記圧入突起が、裾野部から頂上部へ前記圧入方向に対して横方向の幅が徐々に狭くなる形状をなし、前記圧入方向の前側に位置するものと後側に位置するものとで、前記裾野部が前記圧入方向に重なり、前記頂上部が前記圧入方向に対して横にずれる位置に配されているものとしてもよい。このような構成によれば、一対の圧入突起を、裾野部を含む全体が圧入方向に対して横にずれるように設ける場合に比して、ショート端子の幅寸法を小さくすることができるから、ショート端子が大型化することを抑制することができる。
【００１２】
＜実施例＞
以下、本発明を具体化した一実施例について、図１〜図１２を参照しつつ詳細に説明する。以下、各構成部材において、コネクタＣと相手側コネクタ４０とにおける嵌合面側をそれぞれ前方とし、また、図１の上側を上方、下側を下方として説明する。
【００１３】
相手側コネクタ４０は、合成樹脂製のハウジング（以後、相手側ハウジング４１と称する）と、複数の雄側の端子金具（以後、相手側端子金具４２と称する）とを備えている。相手側ハウジング４１は、前方に開口したフード部４４を備え、このフード部４４の内側にコネクタＣが嵌合される。フード部４４の内側には、相手側端子金具４２が、その先端部を突出させた状態で取り付けられている。また、フード部４４の内側には、コネクタＣを嵌合する過程で、コネクタＣに保持された雌側の端子金具Ｔとショート端子１０との短絡状態を解除する短絡解除部４５が突出して設けられている。
【００１４】
コネクタＣは、複数の端子金具Ｔと、隣り合う一対の端子金具Ｔを短絡させるショート端子１０と、端子金具Ｔおよびショート端子１０が収容されるハウジング３０とを備えている。
【００１５】
ショート端子１０は、導電性金属板をプレス加工することで形成され、図４および図５に示すように、ほぼ平板状をなす基板１２と、この基板１２の後端から折り返されて前方に延出される一対の弾性接触片１１とを備えている。ショート端子１０は、一対の弾性接触片１１が一対の端子金具Ｔに弾性的に接触することで、一対の端子金具Ｔを短絡させるものである。
【００１６】
基板１２は、全体として前後方向に若干長い長方形状をなし、その前端には、一対の弾性接触片１１の過度の撓み変形を防止する過度撓み防止壁１３が立ち上げられている。また、基板１２のほぼ中央部には、ハウジング３０に係止する係止片１４が、前方に向かう片持ち状をなして斜め下方に切り起こして形成されている。
【００１７】
基板１２の左右両側には、図４に示すように、複数の突出片１５が設けられている。突出片１５は、基板１２の前後両端部および中間部に設けられている。突出片１５は、ショート端子１０を図７に示すショート端子収容室３５に収容する際に、図９に示すハウジング３０の圧入溝３６に入り込むものとされている。基板１２の前後両端部に設けられた突出片１５は、図４に示すように、中間部に設けられた突出片１５よりも突出寸法（左右方向の寸法）および前後方向の寸法が大きくされている。そして、この基板１２の前後両端部に設けられた突出片１５には、ハウジング３０の圧入溝３６に圧入される圧入突起２０が設けられている。圧入突起２０については、後ほど詳しく説明する。
【００１８】
弾性接触片１１は、基板１２との連結部位となる折り返し部１６を支点として上下方向に弾性撓み可能となっている。弾性接触片１１と基板１２との間には、図５に示すように、弾性接触片１１の撓み変形動作を許容する撓み空間が形成されている。
【００１９】
弾性接触片１１の前端部は、図５に示すように、略山形状に屈曲して形成されており、その頂点が端子金具Ｔの下面に接触可能な接点部１７とされている。なお、接点部１７の前方は前下がりの下り部１８、後方は前上がりの上り部１９とされている。
【００２０】
弾性接触片１１は、図４に示すように、接点部１７側よりも折り返し部１６側の幅寸法（左右方向の寸法）が大きくされ、上り部１９の後側は次第に幅寸法が増すように内側に拡幅されている。
【００２１】
ハウジング３０は、図１に示すように、端子金具Ｔおよびショート端子１０が収容される端子収容部３１と、レバーＬが収容されるレバー収容部３２とを有し、全体として、相手側ハウジング４１のフード部４４内に嵌合可能な略方形のブロック状をなしている。
【００２２】
端子収容部３１には、図２に示すように、端子金具Ｔが個別に収容される端子収容室３３とショート端子１０が収容されるショート端子収容室３５とが複数室ずつ設けられている。
【００２３】
複数の端子収容室３３は、上下方向に複数段（本実施例では３段）に分けられるとともに、各段に左右方向に並べて配されている。各段には同数の端子収容室３３が、左右方向に略同一ピッチで配されている。
【００２４】
各端子収容室３３には、図示しない電線の端末部に接続された端子金具Ｔが後方から挿入されて収容される。端子収容室３３に正規の位置まで挿入された端子金具Ｔは、端子収容室３３に設けられたランス３４が係止することにより抜け止めされる。
【００２５】
ショート端子収容室３５は、最上段の端子収容室３３の下側に複数設けられている。各ショート端子収容室３５は前後両側に開放された形態をなし、前方からショート端子１０が収容可能とされている。なお、ショート端子収容室３５の後端は、後述するリテーナ装着部３９に連通している。
【００２６】
ショート端子収容室３５の上面側には、一対の端子収容室３３に連通するように開口部３５Ｈが設けられている。この開口部３５Ｈを介してショート端子１０の弾性接触片１１の接点部１７が端子収容室３３内に突出して配される。また、ショート端子収容室３５の下面側には相手側コネクタ４０との嵌合時に、弾性接触片１１の下り部１８を逃がすための逃し凹部３５Ｒが形成されている。
【００２７】
そして、ショート端子収容室３５の左右両側面には、図９および図１０に示すように、ショート端子１０の圧入突起２０が圧入される圧入溝３６が凹設されている。圧入溝３６は、ショート端子収容室３５の下面に沿って左方または右方に凹み形成されている。圧入溝３６は、端子収容部３１の前方に開放されるとともに、後端が所定の位置で閉鎖されている（図１２参照）。
【００２８】
圧入溝３６の奥側の部分（後述する第１圧入突起２０Ｆおよび第２圧入突起２０Ｓが圧入されて保持される部分）の高さ寸法（上下方向の寸法）は前後方向に略一定とされている。圧入溝３６の前端部の高さ寸法は、奥側の部分よりも若干大きくされている。圧入溝３６の幅寸法（左右方向の寸法）は、図１０に示すように、ショート端子１０の前後両端部に設けられた突出片１５の幅寸法（突出寸法）と同等とされている。
【００２９】
端子収容部３１の前面側には、図１１に示すように、フロントホルダ３７が取り付けられる。このフロントホルダ３７により、端子収容室３３およびショート端子収容室３５の前壁が構成される。
【００３０】
端子収容部３１には、端子金具Ｔに係止して二次的にその抜け止めをするリテーナ３８が装着されている。リテーナ３８は、端子収容部３１の前後方向の略中央部に設けられたリテーナ装着部３９に装着されている。リテーナ装着部３９は、端子収容部３１の下面側に開口するとともに、最上段の端子収容室３３まで上下方向に連通している。リテーナ装着部３９に装着されたリテーナ３８は、端子金具Ｔに係止する部分が端子収容室３３から下側に退避する仮係止位置と、端子金具Ｔに係止する部分が端子収容室３３に進入する本係止位置との間を上下方向に移動可能とされている。
【００３１】
さて、ショート端子１０には、ハウジング３０に設けられた圧入溝３６に圧入される圧入突起２０が設けられている。圧入突起２０は、図４に示すように、ショート端子１０の前後方向の中央部を除いた突出片１５に一ずつ設けられ、基板１２の前後左右に配置されている。各圧入突起２０は、各突出片１５の前後方向の略中心部に突設され、前側の圧入突起２０は外側の端に寄っている。各圧入突起２０は前後方向に長く、その前端部と後端部とは平面視円弧形状をなしている。また、各圧入突起２０の前後方向における中間部の幅寸法は略一定とされている。なお、４つの圧入突起２０はほぼ同じ大きさで同形状とされている。
【００３２】
各圧入突起２０は、図３および図５に示すように、裾野部２１から頂上部２２へ横方向（図３の左右方向）および前後方向（図５の左右方向）の幅が徐々に狭くなる形状をなしている。各圧入突起２０は、下端（突出片１５の上面位置）の幅寸法が最も大きくされている。各圧入突起２０の頂上部２２は、前後方向の中心部および左右方向の中心部が最も高くされている。なお、各圧入突起２０の頂上部２２を前方から見ると、丸いドーム状をなしている。
【００３３】
圧入突起２０は、図４に示すように、係止片１４よりも前側の位置と後側の位置とに離れて設けられている。前後一対の圧入突起２０は、基板１２の左右両側に備えられている。前後一対の圧入突起２０は、同じ圧入溝３６に圧入されるようになっている。以後、ショート端子１０の後側（圧入溝３６への圧入方向の前側）に位置するものを第１圧入突起２０Ｆ、ショート端子１０の前側（圧入溝３６への圧入方向の後側）に位置するものを第２圧入突起２０Ｓと称する。
【００３４】
ショート端子１０の左右両側の第１圧入突起２０Ｆ同士および第２圧入突起２０Ｓ同士は、それぞれ前後方向の位置が揃っている。そして、第２圧入突起２０Ｓは、弾性接触片１１の接点部１７の近傍に配され、ショート端子１０を側方から見ると、図５に示すように、上り部１９の真下に位置している。
【００３５】
前後一対の圧入突起２０は、第１圧入突起２０Ｆと第２圧入突起２０Ｓとで圧入溝３６に対し、図１０に示すように、横にずれるように配置されている。第１圧入突起２０Ｆは、第２圧入突起２０Ｓよりも内側に位置している。第１圧入突起２０Ｆおよび第２圧入突起２０Ｓを前方から見ると、図３に示すように、頂上部２２の全体が左右方向にずれ、裾野部２１の一部が前後方向に重なっている。すなわち、第１圧入突起２０Ｆと第２圧入突起２０Ｓとは、裾野部２１の圧入溝３６への圧入経路が重複し、頂上部２２の圧入溝３６への圧入経路が完全にずれる位置に配置されている。なお、ショート端子１０を平面視すると、図４に示すように、内側に位置する第１圧入突起２０Ｆの裾野部２１の一部が、弾性接触片１１と上下方向に重なっている。
【００３６】
次に、コネクタＣの組み立て作業および相手側コネクタ４０との嵌合作業の一例を説明する。
まず、コネクタＣを組み立てる。
ハウジング３０のショート端子収容室３５に前方からショート端子１０を装着する。この際、第１圧入突起２０Ｆが先に圧入溝３６に入り込み、第１圧入突起２０Ｆおよびこの圧入突起２０Ｆが設けられた突出片１５が圧入溝３６に圧入し、ショート端子１０がショート端子収容室３５の奥方へ挿入案内される。そして、ショート端子１０が正規の収容位置に近づくと、第２圧入突起２０Ｓが圧入溝３６に入り込む。第２圧入突起２０Ｓは、圧入溝３６のうち第１圧入突起２０Ｆが通っていないために押し広げられていない部分に入り込む。
【００３７】
そして、図１２に示すように、ショート端子１０が正規の収容位置に至ると、後側の突出片１５が圧入溝３６の後端に至り、ショート端子１０の後方への後止まりがなされる。このとき、一対の弾性接触片１１の接点部１７が開口部３５Ｈから対応する端子収容室３３に突出して配され、また、ショート端子１０の前後左右のすべての圧入突起２０が圧入溝３６に十分に圧入された状態になっている。なお、ショート端子１０の係止片１４は、フロントホルダ３７が装着される前においては、図１０に示すように、端子収容部３１の前面側に臨んで配される。
【００３８】
こうしてショート端子１０をショート端子収容室３５に収容した後、端子収容部３１の前面側にフロントホルダ３７を装着する。すると、フロントホルダ３７の後面に設けられた図示しない係止受け部がショート端子１０の係止片１４に前方から係止し、ショート端子１０の前方への抜け止めがなされる。
【００３９】
次いで、ハウジング３０のリテーナ装着部３９にリテーナ３８を組み付けて仮係止位置に保持させ、ハウジング３０の各端子収容室３３に端子金具Ｔを挿入する。正規の挿入深さに達した端子金具Ｔは、図１に示すように、ランス３４が係止して抜け止めされる。また、ショート端子１０の弾性接触片１１が一対の端子金具Ｔに接触することでそれらを短絡させる。その後、リテーナ３８を本係止位置に押し込み、全ての端子金具Ｔを二次係止する。
こうして、コネクタＣの組み立て作業が完了する。
【００４０】
次に、コネクタＣを相手側コネクタ４０に嵌合する。
相手側コネクタ４０のフード部４４にハウジング３０を浅く嵌合してからレバーＬを回動操作する。すると、図２に示すように、両コネクタＣ，４０が正規の嵌合状態に至り、両端子金具Ｔ，４２を導通接続させる。また、両コネクタＣ，４０の嵌合動作に連動して、ショート端子１０の弾性接触片１１が、相手側ハウジング４１の短絡解除部４５に押倒されて端子金具Ｔから解離され、短絡状態を解除する。
こうして、相手側コネクタ４０との嵌合作業が完了する。
【００４１】
次に、上記のように構成された本実施例の作用および効果について説明する。
本実施例のコネクタＣは、一対の端子金具Ｔに弾性接触片１１が弾性的に接触することで一対の端子金具Ｔを短絡させるショート端子１０と、端子金具Ｔおよびショート端子１０が収容されるハウジング３０と、を備えている。ショート端子１０には、ハウジング３０に設けられた一の圧入溝３６に圧入される圧入突起２０が、圧入溝３６への圧入方向における前側と後側とに離れて一対設けられ、圧入方向の前側に位置する第１圧入突起２０Ｆと後側に位置する第２圧入突起２０Ｓとが圧入方向に対して横にずれて配置されている。この構成によれば、圧入溝３６に先に入る第１圧入突起２０Ｆによって押し広げられていない部分に、後から入る第２圧入突起２０Ｓが圧入されるから、一の圧入溝３６に入る一対の圧入突起２０Ｆ，２０Ｓがいずれにおいても確実にがたつきを抑制することができる。
【００４２】
また、ショート端子１０が、ハウジング３０に対して前方から収容されるものとされ、一対の圧入突起２０Ｆ，２０Ｓが、ショート端子１０の前側と後側とに離れて配されるとともに、ショート端子１０の左右方向の両側に備えられている。この構成によれば、ショート端子１０の前後左右で上下方向のがたつきを抑制することができる。
【００４３】
また、各圧入突起２０が、裾野部２１から頂上部２２へ圧入方向に対して横方向の幅が徐々に狭くなる形状をなし、圧入方向の前側に位置する第１圧入突起２０Ｆと後側に位置する第２圧入突起２０Ｓとで、裾野部２１が圧入方向に重なり、頂上部２２が圧入方向に対して横にずれる位置に配されている。この構成によれば、一対の圧入突起２０Ｆ，２０Ｓを、裾野部２１を含む全体の圧入経路がずれるように設ける場合に比して、ショート端子１０の幅寸法を小さくすることができるから、ショート端子１０が大型化することを抑制することができる。
【００４４】
＜他の実施例＞
本発明は上記記述及び図面によって説明した実施例に限定されるものではなく、例えば次のような実施例も本発明の技術的範囲に含まれる。
（１）上記実施例では、本発明を、ショート端子１０がハウジング３０に対して前方から収容される場合に適用した例を示したが、これに限らず、本発明は、ショート端子がハウジングに対して例えば側方から挿入される場合にも適用することができる。
（２）上記実施例では、ショート端子１０が片持ち状の弾性接触片１１を備える例を示したが、本発明においては、例えばショート端子が両持ち状の弾性接触片を備えるものでもよい。
（３）上記実施例では、雌側の端子金具Ｔが収容された雌コネクタＣにショート端子１０が備えられている場合を例示したが、これに限らず、本発明は、雄側の端子金具が収容された雄コネクタにショート端子が備えられる場合にも適用することができる。
（４）上記実施例では、第１圧入突起２０Ｆと第２圧入突起２０Ｓとが、裾野部２１が圧入方向に重なり、頂上部２２が圧入方向に対して横にずれる位置に配されているが、これに限らず、第１圧入突起と第２圧入突起との全体が完全にずれて配置されるものとしてもよい。
（５）上記実施例では、ショート端子１０の前後に離れて突出片１５が設けられ、各突出片１５に圧入突起２０が突設されているが、これに限らず、例えばショート端子の前後方向に連なって突出片が設けられ、その突出片の前端部と後端部とに圧入突起を突設しても良い。
【符号の説明】
【００４５】
Ｃ…コネクタ
Ｔ…端子金具
１０…ショート端子
１１…弾性接触片
２０…圧入突起
２０Ｆ…第１圧入突起（圧入方向の前側に位置するもの）
２０Ｓ…第２圧入突起（圧入方向の後側に位置するもの）
２１…裾野部
２２…頂上部
３０…ハウジング
３６…圧入溝
【図１】
2016157605.tif 000003
【図２】
2016157605.tif 000004
【図３】
2016157605.tif 000005
【図４】
2016157605.tif 000006
【図５】
2016157605.tif 000007
【図６】
2016157605.tif 000008
【図７】
2016157605.tif 000009
【図８】
2016157605.tif 000010
【図９】
2016157605.tif 000011
【図１０】
2016157605.tif 000012
【図１１】
2016157605.tif 000013
【図１２】
2016157605.tif 000014